(57)【要約】【課題】  パイプ体をワイヤリテーナーにより強固に抜け止めできる新規な構造を備えたクイックコネクタを提供する。【解決手段】  クイックコネクタ１を、コネクタハウジング３とワイヤリテーナー５とから構成する。コネクタハウジング３のリテーナー取り付け部１５に係合スリットを設けておき、ワイヤリテーナー５を、係合アーム５９が係合スリット内に入り込んでリテーナー取り付け部１５内に突出するように、リテーナー取り付け部１５に取り付ける。それぞれの係合アーム５９に軸方向一方側に突出する突出部６８を設けておき、この突出部６８の先端部８４が、環状係合突部４９の軸方向他方側環状面８２と、外周縁よりも内側で係合するようにしておく。【選択図】  図８
2006266473.tif 000002
【特許請求の範囲】
【請求項１】
軸方向一方側に、ホースと接続される接続部が形成され、軸方向他方側に、径方向に対向して一対の係合スリットが形成された筒状のコネクタハウジングと、一対の係合アームを有し、この一対の係合アームが、前記係合スリットに入り込んで前記コネクタハウジングを挟み込むことにより、前記コネクタハウジングの軸方向他方側に取り付けられたコ字状又はほぼコ字状のワイヤリテーナーと、を備え、前記ワイヤリテーナーの前記係合アームが、前記係合スリットから前記コネクタハウジング内に突出し、パイプ体の挿入端部が挿入されたときに、この挿入端部に形成されている環状係合突部の軸方向他方側環状面とスナップ係合するように構成されているクイックコネクタであって、
前記係合アームは、前記軸方向他方側環状面の外周縁と非接触状態で、前記環状係合突部の前記軸方向他方側環状面と係合するように形成されている、ことを特徴とするクイックコネクタ。
【請求項２】
軸方向一方側に、ホースと接続される接続部が形成され、軸方向他方側に、径方向に対向して一対の係合スリットが形成された筒状のコネクタハウジングと、一対の係合アームを有し、この一対の係合アームが、前記係合スリットに入り込んで前記コネクタハウジングを挟み込むことにより、前記コネクタハウジングの軸方向他方側に取り付けられたコ字状又はほぼコ字状のワイヤリテーナーと、を備え、前記ワイヤリテーナーの前記係合アームが、前記係合スリットから前記コネクタハウジング内に突出し、パイプ体の挿入端部が挿入されたときに、この挿入端部に形成されている環状係合突部の軸方向他方側環状面とスナップ係合するように構成されているクイックコネクタであって、
前記係合アームは、前記軸方向他方側環状面の外周縁よりも内側でのみ、前記環状係合突部の前記軸方向他方側環状面と係合するように形成されている、ことを特徴とするクイックコネクタ。
【請求項３】
前記係合アームは軸方向一方側への突出部を有し、この突出部の軸方向一端部が、前記軸方向他方側環状面の外周縁よりも内側で、前記環状係合突部の前記軸方向他方側環状面と接触して係合することにより、前記係合アームは、前記軸方向他方側環状面の外周縁よりも内側でのみ、前記環状係合突部の前記軸方向他方側環状面と係合する、ことを特徴とする請求項２記載のクイックコネクタ。
【請求項４】
軸方向一方側に、ホースと接続される接続部が形成され、軸方向他方側に、径方向に対向して一対の係合スリットが形成された筒状のコネクタハウジングと、一対の係合アームを有し、この一対の係合アームが、前記係合スリットに入り込んで前記コネクタハウジングを挟み込むことにより、前記コネクタハウジングの軸方向他方側に取り付けられたコ字状又はほぼコ字状のワイヤリテーナーと、を備え、前記ワイヤリテーナーの前記係合アームが、前記係合スリットから前記コネクタハウジング内に突出し、パイプ体の挿入端部が挿入されたときに、この挿入端部に形成されている環状係合突部の軸方向他方側環状面とスナップ係合するように構成されているクイックコネクタであって、
前記係合アームは、前記パイプ体の前記挿入端部外周と接触状態で前記環状係合突部の前記軸方向他方側環状面と係合し、かつ、前記挿入端部外周との接触部分のみが前記環状係合突部の前記軸方向他方側環状面と係合するように形成されている、ことを特徴とするクイックコネクタ。
【請求項５】
前記環状係合突部の前記軸方向他方側環状面は、前記係合アームの径よりも広い幅を有している、ことを特徴とする請求項４記載のクイックコネクタ。
【発明の詳細な説明】
【技術分野】
【０００１】
本発明は、例えば自動車配管の連結に用いられるクイックコネクタに関する。
【背景技術】
【０００２】
パイプ体とホースとを連結することにより構成される流体配管構造には、パイプ体及びホースの連結用のコネクタが用いられる。このようなコネクタは、軸方向一方側に、ホースが接続される接続部が形成された筒状のコネクタハウジングを有していて、パイプ体とコネクタとの接続は、例えば、パイプ体の挿入側外周面に環状係合突部を形成して挿入端部を構成し、かつ、コネクタハウジングの軸方向他方側にスナップ係合用のリテーナー手段を設けてコネクタをクイック接続形式のものとしておき、パイプ体の挿入端部を軸方向他方側端開口からコネクタハウジング内に挿入して、リテーナー手段と環状係合突部とをスナップ係合させ、パイプ体とコネクタとを抜け止め状態とすることにより行われる。クイック接続形式のクイックコネクタに使用されるリテーナー手段としては、コネクタハウジングの軸方向他方側に、径方向に対向して一対の係合スリットを設けるとともに、一対の係合アームを有するコ字状又はほぼコ字状のワイヤリテーナー（例えば線材製のリテーナー）を用い、この一対の係合アームが、係合スリットに入り込んでコネクタハウジングを挟み込むように、ワイヤリテーナーを、コネクタハウジングの軸方向他方側又は軸方向他方側外周に取り付けるといったものが知られている（例えば特許文献１参照）。このようなリテーナー手段を採用することにより、コネクタが比較的大径であっても、リテーナーのコネクタハウジングへの十分な取り付け安定性を確保することができる。
【０００３】
【特許文献１】特開２００３−２１２８７号公報
【発明の開示】
【発明が解決しようとする課題】
【０００４】
ところで、パイプ体がワイヤリテーナーにより強固に抜け止めされるためには、ワイヤリテーナーの係合アームが、コネクタハウジング内に十分突出し、パイプ体の環状係合突部と長い範囲にわたって係合することが必要であると考えられている。しかしながら、係合アームを環状係合突部と長い範囲にわたって係合させておいても、使用環境によっては、パイプ体とワイヤリテーナーとの係合が解除されてパイプ体がコネクタから相対的に外れた状態となってしまうことがある。
【０００５】
そこで、本発明は、パイプ体がワイヤリテーナーにより強固に抜け止めされる新規な構造を備えたクイックコネクタの提供を目的とする。
【課題を解決するための手段】
【０００６】
この目的を達成するための本発明のクイックコネクタは、軸方向一方側に、ホースと接続される接続部が形成され、軸方向他方側に、径方向に対向して一対の係合スリットが形成された筒状のコネクタハウジングと、一対の係合アームを有し、この一対の係合アームが、前記係合スリットに入り込んで前記コネクタハウジングを挟み込むことにより、前記コネクタハウジングの軸方向他方側に取り付けられたコ字状又はほぼコ字状のワイヤリテーナーと、を備え、前記ワイヤリテーナーの前記係合アームが、前記係合スリットから前記コネクタハウジング内に突出し、パイプ体の挿入端部が挿入されたときに、この挿入端部に形成されている環状係合突部の軸方向他方側環状面とスナップ係合するように構成されているクイックコネクタであって、前記係合アームは、前記軸方向他方側環状面の外周縁と非接触状態（非係合状態）で、前記環状係合突部の前記軸方向他方側環状面と係合するように形成されているものである。係合アーム（多くの場合、断面円形）が環状係合突部の軸方向他方側環状面の外周縁と接触又は係合していると、パイプ体が引き抜き方向に相対的に引っ張られたときに、係合アームが軸方向他方側環状面の外周縁上を滑って径方向外側に開いてしまうおそれがある。したがってここでは、係合アームが、軸方向他方側環状面の外周縁以外の個所でのみ、環状係合突部の軸方向他方側環状面と接触又は係合するように形成する。あるいは、係合アームが、軸方向他方側環状面の外周縁よりも内側でのみ、環状係合突部の軸方向他方側環状面と接触又は係合するように形成する。
【０００７】
係合アームを、軸方向他方側環状面の外周縁と非接触状態で、環状係合突部の軸方向他方側環状面と係合させるためには、例えば、係合アームに軸方向一方側への突出部を形成しておき、この突出部の軸方向一端部（先端部）が、軸方向他方側環状面の外周縁よりも内側で、環状係合突部の軸方向他方側環状面と接触して係合するように構成すればよい。
【０００８】
本発明のクイックコネクタはまた、軸方向一方側に、ホースと接続される接続部が形成され、軸方向他方側に、径方向に対向して一対の係合スリットが形成された筒状のコネクタハウジングと、一対の係合アームを有し、この一対の係合アームが、前記係合スリットに入り込んで前記コネクタハウジングを挟み込むことにより、前記コネクタハウジングの軸方向他方側に取り付けられたコ字状又はほぼコ字状のワイヤリテーナーと、を備え、前記ワイヤリテーナーの前記係合アームが、前記係合スリットから前記コネクタハウジング内に突出し、パイプ体の挿入端部が挿入されたときに、この挿入端部に形成されている環状係合突部の軸方向他方側環状面とスナップ係合するように構成されているクイックコネクタであって、前記係合アームは、前記パイプ体の前記挿入端部外周と接触状態（接触直前の状態を含む）で前記環状係合突部の前記軸方向他方側環状面と係合し、かつ、前記挿入端部外周との接触部分（接触直前部分）のみが前記環状係合突部の前記軸方向他方側環状面と係合するものとして構成できる。あるいは、挿入端部外周との接触部分個所（接触直前部分個所）でのみ軸方向他方側環状面と係合する。ワイヤリテーナーの一対の係合アームは通常、パイプ体の挿入端部外周（環状係合突部以外の部分）を挟んだ状態（例えば挟み付けた状態）で、環状係合突部の軸方向他方側環状面と係合する。そこで、係合アームが、パイプ体の挿入端部外周との接触部分個所でのみ環状係合突部の軸方向他方側環状面と係合するものとしておけば、係合アームが、軸方向他方側環状面の外周縁と接触又は係合してしまうことを効果的に防止できる。ここでは、環状係合突部の軸方向他方側環状面は、例えば、係合アームの径よりも広い幅を有している。
【発明の効果】
【０００９】
以上説明したように、本発明のクイックコネクタでは、ワイヤリテーナーの係合アームとパイプ体の環状係合突部とを強固に係合させることができる。
【発明を実施するための最良の形態】
【００１０】
以下、本発明の実施の形態を図面を参照して説明する。
【００１１】
図１は本発明に係るクイックコネクタの斜視図、図２はクイックコネクタの断面図、図３はクイックコネクタの別の断面図、図４はクイックコネクタの分解斜視図、図５はクイックコネクタの組み立て図である。
【００１２】
クイックコネクタ１は、例えば自動車の給排気配管の連結に使用されるものであり、特に図１乃至図３からよく理解できるように、筒状薄肉のコネクタハウジング３と、このコネクタハウジング３に取り付けられたコ字状又はほぼコ字状のワイヤリテーナー５と、を備えて構成されている。コネクタハウジング３は例えば金属製であり、軸方向一方側の円筒状のホース接続部７（接続部）と、軸方向他方側のほぼ円筒状のパイプ挿入部９とから一体的に構成されていて、大径のホースと大径のパイプ体とを連結するために、大径に、かつ、比較的短く形成されている。
【００１３】
ホース接続部７は、円筒状の接続部本体１１と、この接続部本体１１の軸方向一端部に一体的に形成された抜け止め部１３と、から構成され、抜け止め部１３は、軸方向一端から軸方向他方側に向かってテーパ状に拡径して、接続部本体１１よりも径方向外側に突出するように屈曲形成されている。抜け止め部１３の軸方向一端は、例えば接続部本体１１よりも小径に形成される。
【００１４】
パイプ挿入部９は、軸方向他方側のリテーナー取り付け部１５と、ホース接続部７が接続形成された軸方向一方側のパイプ支持部１７と、リテーナー取り付け部１５及びパイプ支持部１７の間に形成された軸方向中間のシール保持部１９と、から構成されていて、パイプ支持部１７は、シール保持部１９よりも小径で、ホース接続部７の接続部本体１１よりも大径に形成されている。
【００１５】
パイプ挿入部９の環状のリテーナー取り付け部１５は、シール保持部１９と同一径に、より具体的にはシール保持部１９の軸方向他方側と同一径に形成され、径方向対称位置に、薄肉円筒壁状の径方向外側壁部を有する取り付け用突出部２１、２１が設けられた構造を備えていて、一対の取り付け用突出部２１、２１のそれぞれは、ほぼ４分の１の円弧長さにわたって形成されている。ただし、取り付け用突出部２１は全周にわたって形成される場合もある。それぞれの取り付け用突出部２１の径方向外側壁部には、係合スリット２３が形成されているが、この係合スリット２３は、周方向一方側に形成された一方側スリット部２５と、周方向他方側に形成された、一方側スリット部２５に等しいあるいは対称である形状の他方側スリット部２７と、から構成されていて、一方側スリット部２５及び他方側スリット部２７は、一方側スリット部２５と他方側スリット部２７との間に、係合スリット２３の幅とほぼ等しい、又は係合スリット２３の幅よりも多少長い（例えばほぼ２倍長い）周方向幅を有する部分２９（分断部）が残るように形成されている。すなわち、係合スリット２３は、例えば周方向中央に位置する分断部２９によって、一方側スリット部２５と他方側スリット部２７とに区分されている。また、取り付け用突出部２１の幅（軸方向幅）は、係合スリット２３の幅（軸方向幅）のほぼ３倍あるいは３倍乃至４倍に設定されている。そして、具体的には、係合スリット２３の幅は２．６ｍｍ乃至２．８ｍｍに設定されている（場合によっては３．３ｍｍとなることもある）。
【００１６】
取り付け用突出部２１の周方向一端壁部３１及び周方向他端壁部３３は、分断部２９同士を結んで軸心を通過する直線及び軸線と平行に広がるように、すなわちワイヤリテーナー５の取り付け方向と直交する方向に広がるように形成されている。また、取り付け用突出部２１の周方向一端壁部３１と一方側スリット部２５の周方向一端との間、および、取り付け用突出部２１の周方向他端壁部３３と他方側スリット部２７の周方向他端との間にはそれぞれ、係合スリット２３の幅のほぼ２倍の周方向間隔が設けられていて、取り付け用突出部２１の周方向一端部及び周方向他端部には、係合スリット２３の幅のほぼ２倍の周方向長さあるいは周方向幅を有する抜け止め壁部個所３５、３７が形成されている。
【００１７】
取り付け用突出部２１では、一方側スリット部２５の周方向一端部に軸方向一方側に短く延びるスリット状の一方側出入り口３８が形成され、また、他方側スリット部２７の周方向他端部にも軸方向一方側に短く延びるスリット状の他方側出入り口３９が形成されている。
【００１８】
なお、コネクタハウジング３のリテーナー取り付け部１５は、径方向反対側からでも、ワイヤリテーナー５を同様に取り付けることができるような対称形状に形成されている。
【００１９】
リテーナー取り付け部１５の軸方向他端（パイプ挿入部９又はコネクタハウジング３の軸方向他端）には、径方向外側に突出する外向きフランジ４０が一体的に設けられているが、この外向きフランジ４０は、取り付け用突出部２１の軸方向他端と一体的に形成されている。外向きフランジ４０は、円形の外縁を有しているが、一対の取り付け用突出部２１、２１の間に対応する部分では、外側が切り取られたように形成されていて、この部分の外縁は直線状に設定されている。
【００２０】
シール保持部１９の内周面には、軸方向一方側で、ゴム製のＯリング４１が嵌め込まれ、かつ、軸方向他方側で、環状体に形成されている例えば金属製のブッシュ４３が圧入により嵌め付けられていて、Ｏリング４１は、シール保持部１９の軸方向一端に形成された段差部分４４とブッシュ４３とに挟まれて軸方向に位置決めされている。シール保持部１９では、軸方向他方側は軸方向一方側よりも若干大径に形成されている。
【００２１】
クイックコネクタ１に用いられているブッシュ４３は、単純な環状のブッシュ本体４５の軸方向他方側に、パイプ体４７の環状係合突部４９（図６参照）を受け取るための受け取り部５１を一体的に有して形成されていて、受け取り部５１の内周面は、環状係合突部４９の軸方向一方側のテーパ状環状面と対応するように、軸方向他方側に向かって拡径するテーパ状に形成されている。受け取り部５１の径方向対称位置には、軸方向他方側に多少突出する閉塞部分５３が一体的に形成されていて、それぞれの閉塞部分５３は、取り付け用突出部２１に対応する周方向長さを有している。閉塞部分５３は、受け取り部５１の内周面を延長するようにして形成された内面を有し、取り付け用突出部２１、２１内に入り込んで、取り付け用突出部２１、２１の内周面又は内面と接触するように、ブッシュ本体４５及び受け取り部５１よりも径方向外側に突出して形成されていて、取り付け用突出部２１、２１の内周面又は内面に対応した外面を有しているが、取り付け用突出部２１内に入り込む部分の周方向中央個所（中間の個所）はそれぞれ、切り取られて通過部５５を形成している。したがって、ブッシュ４３をコネクタハウジング３に嵌め付けると、一方側スリット部２５の一方側出入り口３８及び他方側スリット部２７の他方側出入り口３９が、取り付け用突出部２１、２１の内周面又は内面と接触状態となっている閉塞部分５３の外周面又は外周で、全体的に又は部分的に塞がれるように構成されている。なお、通過部５５は、ワイヤリテーナー５の取り付け方向で一方側に多少偏って形成されているが（図９を参照すると、通過部５５は上側に偏って形成されている）、取り付け方向に対称に形成してもよい。
【００２２】
ワイヤリテーナー５は、連結部５７と、この連結部５７の両側（幅方向両側又は幅方向両端）からそれぞれ、互いに平行状態で直線状に延びる一対の長い係合アーム５９、５９と、を具備するように屈曲形成された例えば金属製の線材で構成され、連結部５７は、肩部６１、６１を両側に有し、この肩部６１、６１の間で、外側に膨出するコ字状の指掛け部６３を備えている。肩部６１はそれぞれ、係合アーム５９を開きやすくするための、係合アーム５９側の肩部本体６４と、指掛け部６３側のストッパ部６５と、から構成され、それぞれのストッパ部６５は、指掛け部６３の幅方向の端あるいは端部から真横外側、すなわち係合アーム５９の延びる方向又はワイヤリテーナー５の取り付け方向と直交して外側に向う方向を向くまで、円弧状に湾曲し、内側に凸となって延びるように形成されていて、肩部本体６４は、周方向一方側の抜け止め壁部個所３５と対応するように傾斜し、かつ、抜け止め壁部個所３５の周方向長さと同一又はほぼ同一の長さを有している。
【００２３】
一対の係合アーム５９、５９は、肩部６１又は肩部本体６４の先端（指掛け部６３と反対側端）から直線状に延びる長いアーム本体部６６と、このアーム本体部６６の先端（自由側端）に、内側に屈曲して一体的に形成された抜け止め係合部６７と、から構成されているが、ここでは、ワイヤリテーナー５の線材あるいは係合アーム５９又はアーム本体部６６の外径は２．３ｍｍに設定されている。係合アーム５９のアーム本体部６６の中央部分は、軸方向一方側に僅かに膨出して突出部６８を形成するように、湾曲して形成されている。また、係合アーム５９の抜け止め係合部６７は、取り付け用突出部２１の周方向他方側の抜け止め壁部個所３７と対応するように傾斜し、かつ、抜け止め壁部個所３７の周方向長さとほぼ同一の長さに形成された内側に屈曲している係合本体部６９と、この係合本体部６９の先端に、軸方向一方側に屈曲して一体的に形成された軸方向一方側（ほぼ軸方向一方側）に延びる軸方向部７１と、を備えていて、それぞれの抜け止め係合部６７、６７の係合本体部６９、６９が周方向他方側の抜け止め壁部個所３７、３７と、この抜け止め壁部個所３７、３７外面に沿って、あるいは沿うようにして接触し、係合するように形成されている。
【００２４】
アーム本体部６６の長さは、係合スリット２３とほぼ等しく、すなわち一方側スリット部２５の周方向一端及び他方側スリット部２７の周方向他端の間隔とほぼ等しく設定されている。アーム本体部６６、６６の間隔は、パイプ支持部１７の内径あるいはブッシュ４３のブッシュ本体４５の内径又はパイプ体４７の外径とほぼ等しくなるように設定されている。
【００２５】
このような構成のクイックコネクタ１を組み立てるには、まず、コネクタハウジング３にワイヤリテーナー５を一方側スリット部２５側から取り付ける。ワイヤリテーナー５の取り付けは、抜け止め係合部６７の軸方向部７１を、一方側スリット部２５の一方側出入り口３８からコネクタハウジング３内に差し込み、他方側スリット部２７の他方側出入り口３９から外側に突出させる。そうすると、ワイヤリテーナー５は、それぞれの肩部６１、６１が取り付け用突出部２１、２１の周方向一方側の抜け止め壁部個所３５、３５と、この抜け止め壁部個所３５、３５外面に沿って当接し、それぞれの肩部本体６４、６４が取り付け用突出部２１、２１の周方向一方側の抜け止め壁部個所３５、３５と、この抜け止め壁部個所３５、３５外面に沿って、あるいは沿うようにして接触し、かつ、それぞれのストッパ部６５、６５が取り付け用突出部２１、２１の周方向一方側端壁部３１、３１と当接し、しかも、それぞれの抜け止め係合部６７、６７又は係合本体部６９、６９が取り付け用突出部２１、２１の周方向他方側の抜け止め壁部個所３７、３７と、この抜け止め壁部個所３７、３７外面に沿って、あるいは沿うようにして接触し、係合して、コネクタハウジング３のリテーナー取り付け部１５に取り付けられることとなる。なお、肩部本体６４を取り付け用突出部２１の周方向一方側の抜け止め壁部個所３５から浮き上がらせるように形成してもよい。軸方向部７１を、他方側スリット部２７の他方側出入り口３９から外側に突出させ、抜け止め係合部６７又は係合本体部６９を抜け止め壁部個所３７に係合させるには、軸方向部７１が他方側スリット部２７の周方向他方側端に近づいた時点で係合アーム５９の差し込みを中断し、係合アーム５９を、例えば軸方向部７１が他方側出入り口３９に位置するように、外側に弾性変形させてから係合アーム５９の差し込みを再開すればよい。そうすると、軸方向部７１は他方側スリット部２７から抜け、係合本体部６９も他方側スリット部２７から抜け出て、抜け止め壁部個所３７と引き抜き方向に係合する（引き抜き抵抗を作用させるように係合する）こととなる。このようにして、ワイヤリテーナー５は、ストッパ部６５、６５が取り付け用突出部２１、２１の周方向一方側端壁部３１、３１と差し込み方向に係合し（差し込み抵抗を作用させるように係合し）、抜け止め係合部６７、６７が取り付け用突出部２１、２１と引き抜き方向に係合した状態で、一対の係合アーム５９、５９によりリテーナー取り付け部１５を挟み込んでクイックコネクタ１に取り付けられることとなる。一対の係合アーム５９、５９は、係合スリット２３、２３からコネクタハウジング３内に突出部６８を突出させて入り込んでいる。また、アーム本体部６６の突出部６８の突出量は０．５ｍｍ乃至１．０ｍｍに設定されている。ここでは、ストッパ部６５、６５と取り付け用突出部２１、２１の周方向一方側端壁部３１、３１との当接により、ワイヤリテーナー５を、この取り付け位置で、さらに押し込んでも、一対の係合アーム５９、５９はパイプ体４７の環状係合突部４９を通過させるように開くことはない。
【００２６】
一方側スリット部２５の周方向一端同士の間隔及び他方側スリット部２７の周方向他端同士の間隔は等しく、パイプ体４７の外径（環状係合突部４９以外の部分の外径）とほぼ等しくなるように設定されているので、ワイヤリテーナー５は、一対の係合アーム５９、５９が、より具体的には一対のアーム本体部６６、６６が広がることなく互いに平行に延びている状態で、突出部６８の中央部分をパイプ体４７外周に接触させて、リテーナー取り付け部１５に取り付けられる。
【００２７】
そして、図４に示されているように、軸方向部７１が他方側出入り口３９に入り込む直前まで、ワイヤリテーナー５を退避方向に移動させた状態で、ブッシュ４３をコネクタハウジング３内に押し込む。ワイヤリテーナー５のアーム本体部６６、６６の間隔、あるいは、コネクタハウジング３内に突出しているアーム本体部６６、６６部分の間隔は、ブッシュ４３の通過部５５、５５の間隔とほぼ等しいように、あるいは通過部５５、５５の間隔よりも多少大きくなるように広がっているので（ブッシュ本体４５の外縁にかぶさらないようにあるいはオーバーラップしないように広がっているので）、すなわち、係合アーム５９，５９又はアーム本体部６６、６６が、ブッシュ４３の通過を許容するように開いているので、あるいは、係合アーム５９，５９又はアーム本体部６６、６６が、ブッシュ４３の通過部５５、５５及びブッシュ本体４５の通過を許容するように開いているので、ブッシュ４３を、ワイヤリテーナー５を通過させて、シール保持部１９内に圧入することができる。ブッシュ４３の閉塞部５３は、例えば部分的に、一方側出入り口３８及び他方側出入り口３９を塞いでいるので、クイックコネクタ１では、ブッシュ４３をコネクタハウジング３から取り外さない限り、ワイヤリテーナー５がコネクタハウジング３から外れるといったことはない。
【００２８】
図６はクイックコネクタ１にゴム製のホース及びパイプ体４７を接続した状態を示す軸方向に沿った断面図、図７はクイックコネクタ１にパイプ体４７を接続した状態を示す径方向に沿った断面図、図８は係合アーム５９の突出部６８と環状係合突部４９との係合状態を示す図である。
【００２９】
ゴム製のホース７３は、先端又は軸方向他端が、パイプ支持部１７の軸方向一端に形成された段差部分７５に接近するように、ホース接続部７の外周に嵌め付けられ、かつ、締め付けバンド７７により接続部本体１１に締め付けられていて、十分な抜け止め状態でクイックコネクタ１に接続されている。なお、締め付けバンド７７はネジ式であるが、バネ式のものを用いることもできる。さらに、バンドにかえてリングをかしめてホース７３の抜け止めを行なうこともできる。
【００３０】
クイックコネクタ１にリテーナー取り付け部１５の軸方向他端開口７９から挿入されて嵌め付けられたパイプ体４７は、例えば金属製であり、軸方向一方側が、環状係合突部４９を外周面に有する挿入端部８１として構成された形式のものである。ここでは、環状係合突部４９の軸方向一方側環状面は軸方向他方側に向って拡径するテーパ状に形成されている。パイプ体４７は、環状係合突部４９の軸方向一方側環状面がワイヤリテーナー５のアーム本体部６６、６６の間隔を押し広げながら相対的に進行し（図７の係合アーム５９の仮想線表示参照、アーム本体部６６、６６が最も押し広げられたときでも、突出部６８、６８はコネクタハウジング３内に位置している）、ブッシュ４３の受け取り部５１内周面に当接して収容され、挿入端部８１が全長にわたってコネクタハウジング３のパイプ挿入部９内に挿入されるまで、クイックコネクタ１あるいはコネクタハウジング３に押し込まれている。環状係合突部４９の軸方向他方側環状面８２は、パイプ体４７の外周面から径方向又は軸直角方向に２．６ｍｍ乃至２．８ｍｍの幅で広がるように形成されているが、環状係合突部４９の軸方向一方側環状面がブッシュ４３の受け取り部５１内周面に当接したときには、係合スリット２３の軸方向一端８３と軸方向位置において一致又はほぼ一致しているので、あるいは係合スリット２３の軸方向一端８３よりも若干軸方向一方側に位置しているので、ワイヤリテーナー５のアーム本体部６６、６６は、パイプ体４７がコネクタハウジング３のパイプ挿入部９内に正常に挿入された状態となると、弾性復帰力によりスナップ的に平行状態に復帰し、パイプ体４７を抜け止めするように環状係合突部４９あるいは環状係合突部４９の軸方向他方側環状面８２とスナップ係合する（すなわち、軸方向他方側環状面８２はアーム本体部６６、６６とスナップ係合できるように位置することとなる）。アーム本体部６６の突出部６８の先端部８４は、パイプ体４７の挿入端部８１の外周と接触し、かつ、環状係合突部４９の軸方向他方側環状面８２と接触又は係合しているが、突出部６８の先端部８４の径方向外端（パイプ体４７の径方向における外端）は、軸方向他方側環状面８２の外周縁の内側に位置していて、先端部８４は、径方向外端よりも内側で、軸方向他方側環状面８２と接触している。係合スリット２３の幅は、アーム本体部６６の径よりも広く設定されているので（アーム本体部６６の径の１０％乃至２５％増）、アーム本体部６６のスナップ動作は鋭く、抜け止め係合部６７、６７は、コネクタハウジング３の抜け止め壁部個所３７に衝突し、アーム本体部６６の突出部６８、６８（より具体的には、突出部６８の先端部８４）は、パイプ体４７の外周と衝突して明確な衝突音を発生する。
【００３１】
パイプ体４７の挿入端部８１の軸方向一端は、Ｏリング４１を通過してパイプ支持部１７内に達していて、パイプ体４７あるいはパイプ体４７の挿入端部８１とクイックコネクタ１又はコネクタハウジング３との間はＯリング４１により密封され、また、パイプ体４１の挿入端部８１の環状係合突部４９よりも軸方向一方側は、パイプ支持部１７及びブッシュ４３により、径方向にガタが生じないように支持されている。なお、パイプ体４７の環状係合突部４９を係合アーム５９、５９あるいはアーム本体部６６、６６と確実にスナップ係合させるために、また、係合アーム５９又はアーム本体部６６のスナップ動作が環状係合突部４９との摺動により鈍くならないように、環状係合突部４９の軸方向一方側環状面がブッシュ４３に収容されたとき、すでに説明したように、環状係合突部４９の軸方向他方側環状面が、係合スリット２３の軸方向一端８３よりも若干軸方向一方側に位置することとなるように構成しておいてもよい。
【００３２】
図９はクイックコネクタ１のワイヤリテーナー５の操作方法を説明するための図である。
【００３３】
パイプ体４７をクイックコネクタ１から外すときは、取り付け位置（図７に示す位置）に保持されているワイヤリテーナー５の指掛け部６３に、例えば指を掛けて、引っ張り力（退避力）を作用させる（図７の矢印Ａ参照）。そうすると、ワイヤリテーナー５は、それぞれの係合アーム５９の係合本体部６９を、取り付け用突出部２１の周方向他方側の抜け止め壁部個所３７外面上で他方側スリット部２７に向けてスライドさせながら、退避方向に移動し、係合アーム５９、５９が徐々に開いていく。そして、ワイヤリテーナー５を引っ張り続けると、アーム本体部６６が分断部２９に当接して強く押し付けられ、ワイヤリテーナー５をその位置（図９に示す退避位置）を越えて退避方向に移動させることができなくなるが、この状態（退避状態）では、係合アーム５９、５９は、パイプ体４７の環状係合突部４９が通過できる程度に開いている。ここでは、軸方向部７１は、取り付け用突出部２１の周方向他方側の抜け止め壁部個所３７外面から若干浮き上がるように形成されているが（より具体的には、軸方向部７１の屈曲開始端は抜け止め壁部個所３７外面と接触、係合及びスライドする場合がある）、軸方向部７１全体が抜け止め壁部個所３７外面上をスライドするように構成してもよい。
【００３４】
また、この退避状態では、抜け止め係合部６７の係合本体部６９の先端は、抜け止め壁部個所３７から外れて他方側スリット部２７内に落ち込みあるいは落ち込むような状態となっている。他方側出入り口３９は、ブッシュ４３の閉塞部分５３の外周面又は外面によって、例えば部分的に塞がれているので、軸方向部７１がコネクタハウジング３内に入り込んでしまうといったことはないが、軸方向部７１（軸方向部７１の屈曲開始端又は屈曲開始端側）は他方側スリット部２７の他方側出入り口３９の周方向他端又は他方側スリット部２７の周方向他端と取り付け方向に係合している（軸方向部７１は、例えば、先端に向かって外側に傾斜している）。したがって、ワイヤリテーナー５から退避力を解除しても、ワイヤリテーナー５は、退避状態に保持される。そして、退避状態のワイヤリテーナー５を取り付け位置に復帰させるためには、ワイヤリテーナー５を取り付け方向に強く押して、抜け止め係合部６７の軸方向部７１を他方側スリット部２７及び他方側出入り口３９又は他方側スリット部２７から抜け止め壁部個所３７外面上又は方向に押し出す。あるいは、軸方向部７１を外側に移動させ、抜け止め係合部６７の係合部本体６９の先端を他方側スリット部２７から抜け止め壁部個所３７外面上に押し出す。ワイヤリテーナー５は、係合アーム５９、５９の平行に戻ろうとする弾性復帰力により、スムーズに取り付け位置まで移動する。
【００３５】
図１０は係合アーム５９の突出部の別の構成を示す図である。
【００３６】
別の構成の突出部８５は、アーム本体部６６の中央部に軸方向他方側に突出する三角形状の突部８７、８７を２つ連続して形成し、突部８７、８７の接続部（突出部８５の先端部）８９を、アーム本体部６６のストレート部分よりも０．５ｍｍ乃至１．０ｍｍだけ軸方向一方側に突出させることにより構成されている。突部８７及び突出部８５の軸方向長さは、一方側出入り口部３８の軸方向長さとほぼ等しいので、係合アーム５９の一方側スリット２５内への差し込みは、突部８７及び突出部８５が一方側出入り口部３８を通過するようにして、スムーズに行われる。一対の係合アーム５９、５９は、係合スリット２３、２３からコネクタハウジング３内に突出部８５を突出させて入り込み、突出部８５の先端部８９は、パイプ体４７の挿入端部８１の外周に接触することとなる。アーム本体部６６は、突出部８５の先端部８９でのみ、環状係合突部４９の軸方向他方側環状面８２と接触又は係合しているが、突出部８５の先端部８９の径方向外端（パイプ体４７の径方向における外端）は、軸方向他方側環状面８２の外周縁の内側に位置している（より具体的には、先端部８９は、径方向外端よりも内側で、軸方向他方側環状面８２と接触している）。また、パイプ体４７の環状係合突部４９により、アーム本体部６６、６６が最も押し広げられたときでも、突部８７及び突出部８５はコネクタハウジング３内に位置している。
【産業上の利用可能性】
【００３７】
本発明のクイックコネクタは、自動車配管等で超耐熱エアホースに適用されるなどしてパイプ体を強固に抜け止めすることとなる。
【図面の簡単な説明】
【００３８】
【図１】本発明に係るクイックコネクタの斜視図である。
【図２】クイックコネクタの断面図である。
【図３】クイックコネクタの別の断面図である。
【図４】クイックコネクタの分解斜視図である。
【図５】クイックコネクタの組み立て図である。
【図６】クイックコネクタにゴム製のホース及びパイプ体を接続した状態を示す軸方向に沿った断面図である。
【図７】クイックコネクタにパイプ体を接続した状態を示す径方向に沿った断面図である。
【図８】係合アームの突出部と環状係合突部との係合状態を示す図である。
【図９】クイックコネクタのワイヤリテーナーの操作方法を説明するための図である。
【図１０】係合アームの突出部の別の構成を示す図である。
【符号の説明】
【００３９】
１                                  クイックコネクタ
３                                  コネクタハウジング
５                                  ワイヤリテーナー
７                                  ホース接続部
２３                                係合スリット
４７                                パイプ体
４９                                環状係合突部
５９                                係合アーム
６８、８５                          突出部  
８１                                挿入端部
８２                                軸方向他方側環状面
【図１】
2006266473.tif 000003
【図２】
2006266473.tif 000004
【図３】
2006266473.tif 000005
【図４】
2006266473.tif 000006
【図５】
2006266473.tif 000007
【図６】
2006266473.tif 000008
【図７】
2006266473.tif 000009
【図８】
2006266473.tif 000010
【図９】
2006266473.tif 000011
【図１０】
2006266473.tif 000012